(57)【要約】【課題】高齢者の介護作業時に発生する臭気を除去するのに適した脱臭装置を提供する。【解決手段】脱臭装置本体１は、空気吸入部２と空気排出部３との間の空気の通路に、空気吸入部２から空気排出部３に空気を流す風量可変型の電動送風機４と、電動送風機４よりも空気の通路の上流側に位置して空気吸入部２から吸い込まれた空気を脱臭する脱臭手段５とを備え、ハンドル６を持って持ち運び可能で、充電台７に正しく載せることにより充電可能に本体に内蔵された蓄電池８の電力を使って脱臭動作を行うように構成されている。また、空気吸入部２の外側には蛇腹構造で吸入方向を変えられる吸気ダクト１５を設置し、空気吸入部２に近接して設けたガスセンサ１２の検知する臭気ガス濃度に応じて制御手段１３が電動送風機４の風量を調節する。【選択図】　図１
2004000413.tif 000002
【特許請求の範囲】
【請求項１】
空気吸入部と空気排出部との間の空気の通路に、前記空気吸入部から前記空気排出部に空気を流す電動送風機と、前記空気吸入部から吸い込まれた空気を脱臭する脱臭手段とを備え、持ち運び可能で、充電手段により充電可能に本体に内蔵された蓄電池の電力を使って脱臭動作を行うように構成された脱臭装置本体からなる局所脱臭装置。
【請求項２】
充電手段は、脱臭装置本体を載せた時に前記脱臭装置本体に電力を供給可能な充電台からなり、前記脱臭装置本体は、前記充電台から供給される電力を使って蓄電池の充電と脱臭動作を行うことができるように構成されている請求項１に記載の局所脱臭装置。
【請求項３】
脱臭手段は、吸着剤と光触媒とからなり臭気成分の吸着と臭気成分の酸化分解除去を行う上流側の脱臭素子と、前記上流側の脱臭素子で吸着できなかった臭気成分と前記臭気成分が分解された際に発生する中間生成物とを吸着する下流側の脱臭素子と、前記上流側の脱臭素子に前記光触媒を活性化させる紫外線または光を照射する光源とからなる請求項１または２に記載の局所脱臭装置。
【請求項４】
下流側の脱臭素子は、空気の流れ方向に並ぶ少なくとも２つの脱臭素子からなる請求項３に記載の局所脱臭装置。
【請求項５】
下流側の脱臭素子は、吸着剤と低温触媒とからなり臭気成分の物理的吸着と化学的吸着とを行う脱臭素子と、前記臭気成分の物理的吸着と化学的吸着とを行う脱臭素子の下流側に位置し吸着剤と中和剤とからなり臭気成分の吸着と臭気成分の中和を行う脱臭素子とからなる請求項４に記載の局所脱臭装置。
【請求項６】
臭気成分の吸着と臭気成分の酸化分解除去を行う上流側の脱臭素子は、亜鉛の酸化物を酸化チタンに担持し表面に塩基の特性を持たせた光触媒微粒子と吸着剤とを混合しバインダを介して通気性を有する多孔質基材に担持したものであり、前記臭気成分の物理的吸着と化学的吸着とを行う脱臭素子は、マンガン、コバルト、銅の複合酸化物と吸着剤とを混合しバインダを介して通気性を有する多孔質基材に担持したものであり、臭気成分の吸着と臭気成分の中和を行う脱臭素子は、無機塩、アルカリ土類金属化合物の内の少なくとも一種類と吸着剤とを混合しバインダを介して通気性を有する多孔質基材に担持したものである請求項５に記載の局所脱臭装置。
【請求項７】
光源は、臭気成分の吸着と臭気成分の酸化分解除去を行う上流側の脱臭素子の通風方向の上流側に設置し、さらに前記光源の上流側に光源の対向面が鏡面処理された反射板を設置した請求項３から６のいずれか一項に記載の局所脱臭装置。
【請求項８】
吸着剤を、疎水性ゼオライトとした請求項３から７のいずれか一項に記載の局所脱臭装置。
【請求項９】
脱臭装置本体を充電台から外して単独で脱臭動作させる姿勢での前記脱臭装置本体内底部に、前記脱臭装置本体の重心が下がるように蓄電池を配置した請求項１から８のいずれか一項に記載の局所脱臭装置。
【請求項１０】
脱臭装置本体の空気排出部を空気吸入部から離して設け、前記脱臭装置本体を充電台から外して空気吸入部を臭気発生源に向けて単独で脱臭動作させる姿勢にした時、前記脱臭装置本体の空気排出部から排出される空気の方向が前記臭気発生源の方向に対して９０度より大きく１８０度より小さい角度をなし水平面より上向きになるように構成した請求項１から９のいずれか一項に記載の局所脱臭装置。
【請求項１１】
脱臭装置本体の空気吸入部に近接した箇所に設けられ周囲の臭気ガス濃度に応じて出力信号が変わるガスセンサと、前記ガスセンサからの出力信号を受けて前記ガスセンサの周囲の臭気ガス濃度が高くなるほど電動送風機の送風量が増すように前記電動送風機の風量を調節する制御手段とを備えた請求項１から１０のいずれか一項に記載の局所脱臭装置。
【請求項１２】
電動送風機は、ファンと、前記ファンを回転させるモーターと、前記ファンと前記モーターとを仕切る仕切り板と、前記仕切り板と共に前記ファンを覆い風路を構成するファンケースとからなり、前記仕切り板を熱伝導性の良好な材料で構成すると共に、前記仕切り板を前記モーターの外殻と熱伝達可能に接触させた請求項１から１１のいずれか一項に記載の局所脱臭装置。
【請求項１３】
仕切り板が金属製である請求項１２に記載の局所脱臭装置。
【請求項１４】
脱臭手段は、取付け取外し可能に脱臭手段取付け空間に取付けられ、前記脱臭手段取付け空間には、前記脱臭手段または外形寸法が前記脱臭手段と略同一で脱臭特性が異なる別の脱臭手段を２個以上取付け可能である請求項１から１３のいずれか一項に記載の局所脱臭装置。
【請求項１５】
脱臭手段の取付け取外し時に指が他の機能部品に触れるのを防止する指入れ防止手段を設けた請求項１から１４のいずれか一項に記載の局所脱臭装置。
【請求項１６】
臭気成分の吸着と臭気成分の酸化分解除去を行う上流側の脱臭素子の通風方向の上流側に、長手方向が通風方向に略垂直で、通風方向に垂直な面の幅が通風方向に平行な面の幅より小さく、通風方向に平行な面から光を照射する平面型ランプからなる光源を設置し、前記光源から照射された光を前記上流側の脱臭素子に向けて反射する反射板を、風路の縁部近傍に設置した請求項３から６のいずれか一項に記載の局所脱臭装置。
【請求項１７】
脱臭装置本体の外殻と、脱臭手段を通過する風路を構成する空気吸入部パネルとの間の隙間を埋める気密シール部と、回路基板を収納した回路基板室と風路とを連通させる空気孔を設けた請求項１から１６のいずれか一項に記載の局所脱臭装置。
【請求項１８】
脱臭装置本体に着脱可能に設けられ前記脱臭装置本体の持ち運びを容易にする取手部を備え、前記取手部には小物入れを構成する容器が着脱可能に設けられる請求項１から１７のいずれか一項に記載の局所脱臭装置。
【発明の詳細な説明】
【０００１】
【発明の属する技術分野】
本発明は、例えば、介護福祉施設、在宅介護家庭の室内において発生する臭気を除去し、快適な生活環境を居住者に提供するのに適した局所脱臭装置に関するものである。
【０００２】
【従来の技術】
近年、生活空間の快適性向上のニーズは高まる一方であり、特に居住する環境における空気質の高品位化を図るため、家電製品においても、エアコン、空気清浄機の脱臭性能の高性能化、掃除機への脱臭機能の付加が図られている。
【０００３】
一方、今後、脱臭のニーズが増加する分野として、高齢者介護施設、病院などの医療福祉施設が挙げられる。特に、高齢者施設や在宅介護家庭においては、寝たきりの高齢者のおむつ交換及びポータブルトイレを使用する場合に発生する異臭の影響により、室内空気質が悪化することが問題となっており、今後さらに高齢者人口が増加していく状況においては、この臭い対策に関するニーズが高まってくると予想される。
【０００４】
介護が必要な高齢者、特に寝たきり高齢者の居室における臭いの問題は、大便、小便等の排泄物が原因となる場合が多い。大便臭は、大便を排泄したおむつを交換する際、およびポータブルトイレで大便を排泄した際に臭気が室内に一気に拡散する。
【０００５】
大便由来の臭気ガスは硫黄系ガスが主体であり、特に硫化水素の影響度が大きい。一方、小便臭は、高齢者の衣類、寝具への小便の付着、また痴呆老人においては、床へ排尿するケースも多く、結果として室内に小便の臭いが滞留することになる。小便由来の主体臭気ガスの中では、特に刺激臭であるアンモニアの影響度が大きい。
【０００６】
そのため、高齢者の介護において発生する臭気対策としては、拡散前に臭気を捕捉除去すると共に、室内に常時滞留する臭気を連続的に除去し臭気濃度を常に低く抑える必要がある。
【０００７】
従来の局所脱臭装置としては、特開平１０−２１１２６４号公報、特開２０００−１５７６１７号公報、特開２０００−２１０３４７号公報に示されているものがある。
【０００８】
従来の局所脱臭装置の基本構成は、吸入方向を自由に変化し、介護時に発生する臭気を局所的に吸引するための吸気ダクトと、脱臭素子、電動送風機、臭気を除去した空気を排出する排気口を備えた装置本体と、装置本体が容易に移動できる台車、または車輪を備えた構成である。
【０００９】
そして、おむつ交換などの介護作業の際、大便臭、小便臭が発生、拡散する場合でも、局所脱臭装置は、装置本体に備えられた台車または車輪などの移動手段により高齢者のベッド付近に装置を近接でき、また、吸気ダクトは吸入方向を任意に設定できるため、さらにベッド上の高齢者のおむつ近傍まで接近させることができ、発生する臭気を拡散する前に容易に吸引できる。
【００１０】
また、特開２０００−２１０３４７号公報に記載のものにおいては、ベッド上方から高齢者を覆う形で吸気ダクトが設置されており、より効率よく発生臭気を捕捉吸引でき、室内への臭気の拡散を抑制できる。
【００１１】
【発明が解決しようとする課題】
しかしながら、上記従来の構成は、装置本体の移動は可能であるが、商用電源を使って脱臭するため、移動距離が長い場合に、電源コンセントを付け替える必要もあるため、介護作業に追われる高齢者介護の現場においては、作業数が増えるという欠点があった。
【００１２】
本発明は従来の課題を解決するもので、移動距離が長い場合でも電源コンセントを付け替える必要がなく迅速に脱臭動作を実行できる局所脱臭装置を提供することを目的とする。
【００１３】
また、上記従来の構成は、装置本体が大型であり、介護される側の高齢者にとっては、脱臭装置の存在が目立つことにより心理的に不快な印象を与えるという欠点があった。
【００１４】
また、本発明の他の目的は、脱臭装置の存在感を低減する共に、ベッド間、部屋間の移動を手軽に行える局所脱臭装置を提供することを目的とする。
【００１５】
また、上記従来の構成は、脱臭素子として添着活性炭を用いた場合には、湿度の高い雰囲気における使用時は、活性炭が水分を吸着し、吸着サイトが減少することでアンモニアや硫化水素の吸着性能が低下し、特に水分に不溶な硫化水素の性能が著しく低下するという欠点があった。
【００１６】
また、さらに、上記従来の構成は、脱臭素子として、光触媒を単独で用いた場合には、臭気物質は光触媒の表面に接触した場合しか分解され難く、脱臭効率が低いため、脱臭素子が大型化すると共に、臭気が分解された際に中間生成物が発生し、脱臭装置からの排出される空気に異臭が混じるという欠点があった。
【００１７】
また、さらに、上記従来の構成は、脱臭素子として、熱触媒を単独で用いた場合、熱触媒が大便臭、小便臭の分解に対して有効な温度は４００℃以上であり、消費電力が高くなるともに、本体に熱対策の部材等が必要となるためコストが増加するという欠点があった。
【００１８】
本発明は従来の課題を解決するもので、加熱することなく大便臭、小便臭の除去ができ、さらに臭気分解時の中間生成物の排出も抑制できる局所脱臭装置を提供することを目的とする。
【００１９】
また、本発明の他の目的は、脱臭装置をベッド上のように設置面が不安定な場所に置いた場合でも、装置本体の座りを安定でき、ベッド上からの転落がし難い局所脱臭装置を提供することを目的とする。
【００２０】
また、本発明の他の目的は、消費電力量を低減できる局所脱臭装置を提供することを目的とする。
【００２１】
【課題を解決するための手段】
上記目的を達成するために請求項１記載の局所脱臭装置の発明は、空気吸入部と空気排出部との間の空気の通路に、前記空気吸入部から前記空気排出部に空気を流す電動送風機と、前記空気吸入部から吸い込まれた空気を脱臭する脱臭手段とを備え、持ち運び可能で、充電手段により充電可能に本体に内蔵された蓄電池の電力を使って脱臭動作を行うように構成された脱臭装置本体からなるものである。
【００２２】
請求項１記載の発明では、蓄電池の電力を使って脱臭動作を行うので、予め蓄電池に必要量の電力を貯えておけば、商用電源のないところでも電源コードなしで（外部から電力供給を受けることなく）ある程度の時間は脱臭動作を行えるため、介護時のおむつ交換のようにベッド間、部屋間を移動しながら作業する際など、移動距離が長い場合でも電源コンセントを付け替える必要がなく迅速に脱臭動作を実行できるという作用を有する。
【００２３】
また、脱臭装置の設置位置の自由度も増すため、臭気源に対して効果的な位置に設置可能となり、介護時の臭気対策を容易にするだけでなく、臭気源の側で脱臭することで部屋全体への臭気拡散を防ぎ、有効な脱臭効果も得ることができる。また、局所脱臭装置を持ち運び可能に構成したので、脱臭装置の存在感を低減する共に、ベッド間、部屋間の移動を手軽に行えるという作用を有する。
【００２４】
また、請求項２記載の局所脱臭装置の発明は、請求項１記載の発明における充電手段が、脱臭装置本体を載せた時に前記脱臭装置本体に電力を供給可能な充電台からなり、前記脱臭装置本体は、前記充電台から供給される電力を使って蓄電池の充電と脱臭動作を行うことができるように構成されているものであり、脱臭装置本体を充電台に載せ、充電台と外部電源（商用電源）とを接続することにより、蓄電池を充電でき、また、充電台から脱臭装置本体に供給される電力を使って脱臭動作を行うことができ、脱臭装置本体の蓄電池の充電が簡単であり、また、充電台から脱臭装置本体に供給される電力を使っての脱臭動作は、室内の長時間連続の脱臭運転に適しており、室内全体の常時脱臭も行うことができ、室内を常に臭気のない環境にすることができる。
【００２５】
また、請求項３記載の局所脱臭装置の発明は、請求項１または２記載の発明における脱臭手段を、吸着剤と光触媒とからなり臭気成分の吸着と臭気成分の酸化分解除去を行う上流側の脱臭素子と、前記上流側の脱臭素子で吸着できなかった臭気成分と前記臭気成分が分解された際に発生する中間生成物とを吸着する下流側の脱臭素子と、前記上流側の脱臭素子に前記光触媒を活性化させる紫外線または光を照射する光源とで構成するものである。
【００２６】
請求項３記載の発明では、脱臭手段に流入する臭気成分は、まず、上流側の脱臭素子を通る際に吸着剤に吸着され、上流側の脱臭素子で吸着されなかった残りの臭気成分は下流側の脱臭素子を通る際に吸着剤に吸着される。
【００２７】
また、光源から照射される紫外線または光により上流側の脱臭素子の光触媒が活性化し、光触媒の周囲の臭気成分を分解し、上流側の脱臭素子の吸着剤に吸着されていた臭気成分を分解して放出する。そして、臭気成分が分解された際に発生する中間生成物は、下流側の脱臭素子を通る際に吸着剤に吸着される。
【００２８】
従って、脱臭効率が高く、従来の単一の脱臭手段に比べ、脱臭手段の容量を小さくできる作用を有するため、脱臭装置本体の小型化が図れ、外部電力無しで脱臭運転できる作用も組合わさってより携帯性が増し、移動時の利便性が向上すると共に、装置本体が小型になることで、介護時に患者の近傍に設置し脱臭運転した際でも、脱臭装置の存在感が少ないため、患者に対して必要以上に不快感を与えずに済むという作用を有する。
【００２９】
また、請求項４記載の局所脱臭装置の発明は、請求項３に記載の発明における下流側の脱臭素子を、空気の流れ方向に並ぶ少なくとも２つの脱臭素子で構成するものであり、吸着されずに脱臭手段を通過する臭気成分の量を大きく減らすことができ、さらに脱臭効率が高くなる。
【００３０】
また、請求項５記載の局所脱臭装置の発明は、請求項４に記載の発明における下流側の脱臭素子を、吸着剤と低温触媒とからなり臭気成分の物理的吸着と化学的吸着とを行う脱臭素子と、前記臭気成分の物理的吸着と化学的吸着とを行う脱臭素子の下流側に位置し吸着剤と中和剤とからなり臭気成分の吸着と臭気成分の中和を行う脱臭素子とで構成するものである。
【００３１】
請求項５記載の発明では、臭気成分の吸着と臭気成分の酸化分解除去を行う上流側の脱臭素子により、吸着されなかった臭気成分と臭気成分が分解された際に発生する中間生成物は、臭気成分の物理的吸着と化学的吸着とを行う脱臭素子により大半が吸着され、残りは、臭気成分の吸着と臭気成分の中和を行う脱臭素子により吸着または中和される。
【００３２】
従って、機能の異なる複数の脱臭素子を合理的に組み合わせて、吸着されずに脱臭手段を通過する臭気成分の量をさらに大きく減らすことができ、さらに脱臭効率が高くなる。
【００３３】
また、請求項６記載の局所脱臭装置の発明は、請求項５に記載の発明において、臭気成分の吸着と臭気成分の酸化分解除去を行う上流側の脱臭素子（第一の脱臭素子）は、亜鉛の酸化物を酸化チタンに担持し表面に塩基の特性を持たせた光触媒微粒子と吸着剤とを混合しバインダを介して通気性を有する多孔質基材に担持したものであり、前記臭気成分の物理的吸着と化学的吸着とを行う脱臭素子（第二の脱臭素子）は、マンガン、コバルト、銅の複合酸化物と吸着剤とを混合しバインダを介して通気性を有する多孔質基材に担持したものであり、臭気成分の吸着と臭気成分の中和を行う脱臭素子（第三の脱臭素子）は、無機塩、アルカリ土類金属化合物の内の少なくとも一種類と吸着剤とを混合しバインダを介して通気性を有する多孔質基材に担持したものである。
【００３４】
請求項６記載の発明では、酸性ガスである硫化水素は、脱臭手段を通過する際に、上流から１番目の第一の脱臭素子上の光触媒表面に担持されている塩基性の亜鉛酸化物に吸着され、さらに通過の過程で第一の脱臭素子に吸着されなかった硫化水素は、次の上流から２番目の第二の脱臭素子上のマンガン、コバルト、銅の複合酸化物に化学的に吸着されて、硫酸塩の状態で複合酸化物上に固定し、さらに万が一、硫化水素が第二種脱臭素子にも除去されず通過した場合でも、上流から３番目の第三の脱臭素子上にアルカリ性を呈するアルカリ土類金属が担持されている場合には、硫化水素はアルカリ土類金属と中和反応し吸着されるという三段階の除去作用により、閾値が低く微量でも知覚される硫化水素を確実に除去できる。
【００３５】
一方、塩基性ガスであるアンモニアは、脱臭手段を通過する際に、第一の脱臭素子の光触媒である酸化チタンの酸性の表面及び、同時に担持されている吸着剤に吸着され、さらに通過の過程で第一の脱臭素子に吸着されなかったアンモニアは、第二の脱臭素子及び第三の脱臭素子の吸着剤により順次除去され、さらに第三の脱臭素子上に酸性を呈する無機塩が担持されている場合には、無機塩はアンモニアを化学的中和する作用も発揮できるため、空気中に含まれるアンモニアを確実に除去できる。
【００３６】
また、さらに光源により第一の脱臭素子に対して紫外線を照射することで、第一の脱臭素子に担持されている光触媒の酸化分解力が発現し、空気中の硫化水素、アンモニアが接触した際に酸化分解すると共に、素子上に吸着されている硫化水素、アンモニアも酸化分解し、第一の脱臭素子の臭気吸着性能を回復させ、常に高い除去性能を維持する。
【００３７】
従って、従来の単一材料の脱臭素子とは異なり、複数の脱臭材料および素子を組合せ、脱臭手段に臭気が通過する時に、確実に所定の臭気を除去でき高い脱臭効率が得られるため、単一材料の脱臭手段に比べ、脱臭手段の容量を小さくできる作用を有するため、脱臭装置本体の小型化が図れ、外部電力無しで脱臭運転できる作用も組合わさってより携帯性が増し、移動時の利便性が向上すると共に、装置本体が小型になることで、介護時に患者の近傍に設置し脱臭運転した際でも、脱臭装置の存在感が少ないため、患者に対して必要以上に不快感を与えずに済むという作用を有する。
【００３８】
また、請求項７記載の局所脱臭装置の発明は、請求項３から６に記載の発明において、光源は、臭気成分の吸着と臭気成分の酸化分解除去を行う上流側の脱臭素子（第一の脱臭素子）の通風方向の上流側に設置し、さらに前記光源の上流側に光源の対向面が鏡面処理された反射板を設置したものであり、硫化水素やアンモニアを含んだ空気が吸入された場合に、第一の脱臭素子の空気流の対向面に光源が設置されているため、空気流と対向する側の第一の脱臭素子上の光触媒を有効的に活性化させて、臭気に接触させるという作用を有し、臭気に対する除去性能が高まり、さらに光源には反射板も設置されているため、光源から照射される紫外線の殆どを第一の脱臭素子に対して照射でき、光触媒の活性化レベルが増加するという作用により、臭気除去性能がさらに向上する。
【００３９】
また、請求項８記載の局所脱臭装置の発明は、請求項３から７のいずれか一項に記載の発明において、吸着剤を、疎水性ゼオライトとしたものである。
【００４０】
疎水性ゼオライトは、シリカ／アルミナ比を１００／１以上としたものであり、疎水性が高くなることで吸着剤が吸湿することによる脱臭能力の低下が抑制でき、またガスの吸着を細孔径調整による分子ふるい作用により所定の分子量のガスを選択的にトラップできる作用を有し、電動送風機により吸入された空気中の硫化水素、アンモニアを水分の影響を受けることなく選択的に吸着でき、さらに疎水性ゼオライトは白色系の吸着剤であるため、第一の脱臭素子においては、光源より照射された紫外線を、疎水性ゼオライトに吸収されることなく、効率よく光触媒に照射する作用も有するため、臭気に対する酸化分解力を最大限に高めることができる。
【００４１】
また、請求項９記載の局所脱臭装置の発明は、請求項１から８のいずれか一項に記載の発明において、脱臭装置本体を充電台から外して単独で脱臭動作させる姿勢での前記脱臭装置本体内底部に、前記脱臭装置本体の重心が下がるように蓄電池を配置したものであり、構成部品の中でも重量物となる蓄電池を脱臭装置本体の中でもっとも低い位置に設置することで装置本体の重心が下がるという作用を有するため、おむつ交換などの介護作業時に脱臭装置を患者のおむつ付近に近接して設置する際に接地面が不安定なベッドの上に置いた場合でも、脱臭装置は重心が低く安定して設置できるため、脱臭装置本体が転倒し難く使用時の安全性が高まる。
【００４２】
また、請求項１０記載の局所脱臭装置の発明は、請求項１から９のいずれか一項に記載の発明において、脱臭装置本体の空気排出部を空気吸入部から離して設け、前記脱臭装置本体を充電台から外して空気吸入部を臭気発生源に向けて単独で脱臭動作させる姿勢にした時、前記脱臭装置本体の空気排出部から排出される空気の方向が前記臭気発生源の方向に対して９０度より大きく１８０度より小さい角度をなし水平面より上向きになるように構成したものであり、脱臭装置本体を充電台から外して空気吸入部を臭気発生源に向けて単独で脱臭動作させた時に、空気吸入部から離れた空気排出部から脱臭処理した空気が排出され、空気排出部から排出される空気の方向が前記臭気発生源の方向に対して９０度より大きく１８０度より小さい角度をなし水平面より上向きになるため、介護作業時に患者の寝具の上のように埃が多い場所に設置した場合でも、排出される空気は寝具に当たらないため、埃が空中へ舞い難く、脱臭運転に由来した空気質の悪化を抑制できる。
【００４３】
また、請求項１１記載の局所脱臭装置の発明は、請求項１から１０のいずれか一項に記載の発明に加え、脱臭装置本体の空気吸入部に近接した箇所に設けられ周囲の臭気ガス濃度に応じて出力信号が変わるガスセンサと、前記ガスセンサからの出力信号を受けて前記ガスセンサの周囲の臭気ガス濃度が高くなるほど電動送風機の送風量が増すように前記電動送風機の風量を調節する制御手段とを備えたものであり、脱臭運転時にガスセンサは、脱臭装置本体周辺の臭気ガス濃度を検知して制御手段へ臭気ガス濃度の情報を送り、制御手段は、臭気ガス濃度に応じて電動送風機の吸入空気量を最適に調節する（臭気ガス濃度が低い時に電動送風機の吸入空気量を減らして脱臭する空気の量を減らし電力消費量を減らし、臭気ガス濃度が高い時に電動送風機の吸入空気量を増やして脱臭する空気の量を増やす）ため、電動送風機の運転効率が高まり、蓄電池の電気が効率よく消費されるため、脱臭装置の蓄電池による運転時間を長くすることができる。
【００４４】
また、請求項１２記載の局所脱臭装置の発明は、請求項１から１１のいずれか一項に記載の発明において、電動送風機は、ファンと、前記ファンを回転させるモーターと、前記ファンと前記モーターとを仕切る仕切り板と、前記仕切り板と共に前記ファンを覆い風路を構成するファンケースとからなり、前記仕切り板を熱伝導性の良好な材料で構成すると共に、前記仕切り板を前記モーターの外殻と熱伝達可能に接触させたものであり、脱臭運転時に発生するモーターの熱は仕切り板に伝わり、仕切り板はファンの回転による空気流で冷却される。したがって、モーターの発熱を仕切り板を介して空気冷却できるため、モーターの運転寿命を延長させ、さらに脱臭装置本体の安全性が高まる。
【００４５】
また、請求項１３記載の局所脱臭装置の発明は、請求項１２に記載の発明において、仕切り板を金属製にしたものである。金属は一般的に熱伝導性、剛性、耐熱性に優れているため、モーター動作時の放熱を効率よく行えるためモーターの寿命をさらに延長でき、さらに仕切り板の剛性、耐熱性が高まるため、モーターの固着信頼性、モーターの熱による変形の信頼性を向上させることができる。
【００４６】
また、請求項１４記載の局所脱臭装置の発明は、請求項１から１３のいずれか一項に記載の発明において、脱臭手段は、取付け取外し可能に脱臭手段取付け空間に取付けられ、前記脱臭手段取付け空間には、前記脱臭手段または外形寸法が前記脱臭手段と略同一で脱臭特性が異なる別の脱臭手段を２個以上取付け可能であるものであり、脱臭手段を取付け取外しできるため脱臭手段の交換が容易となることで利便性が高まり、さらに脱臭手段取付け空間に脱臭特性の異なる複数の脱臭手段を組込んだ場合には除去対象臭気を拡大することが可能であり、同じ脱臭手段を複数組込んだ場合には特定臭気に対する更なる脱臭性能を向上させることが可能であるという作用を有する。
【００４７】
また、請求項１５記載の局所脱臭装置の発明は、請求項１から１４のいずれか一項に記載の発明において、脱臭手段の取付け取外し時に指が他の機能部品に触れるのを防止する指入れ防止手段を設けたものである。ここで機能部品として電動送風機を例に挙げて説明すると、脱臭装置本体の運転を継続したまま脱臭手段の交換を行おうとした時に、不注意に電動送風機に指が触れないため、回転中のファンに触れて怪我したり、熱くなったモーターに触れて火傷したりするのを防ぐことができ、脱臭装置本体の安全性をさらに高めることができる。
【００４８】
また、請求項１６記載の局所脱臭装置の発明は、請求項３から６のいずれか一項に記載の発明において、臭気成分の吸着と臭気成分の酸化分解除去を行う上流側の脱臭素子の通風方向の上流側に、長手方向が通風方向に略垂直で、通風方向に垂直な面の幅が通風方向に平行な面の幅より小さく、通風方向に平行な面から光を照射する平面型ランプからなる光源を設置し、前記光源から照射された光を前記上流側の脱臭素子に向けて反射する反射板を、風路の縁部近傍に設置したものであり、光源として平面型ランプを通風抵抗が小さくなるように設置したので、光源の設置による通風量の減少を抑えることができ、臭気除去性能の低下を抑制するという作用を有する。なお、平面型ランプを通風抵抗が小さくなるように設置すると、脱臭素子のある方向に対して垂直な方向への光の照射量が増えるが、反射板により、脱臭素子のある方向に対して垂直な方向に照射された光を脱臭素子に向けて反射させるので光の照射の無駄をなくすことができ、反射板を風路の縁部近傍に設置することにより反射板による通風量の減少を抑えることができる。
【００４９】
また、請求項１７記載の局所脱臭装置の発明は、請求項１から１６のいずれか一項に記載の発明において、脱臭装置本体の外殻と、脱臭手段を通過する風路を構成する空気吸入部パネルとの間の隙間を埋める気密シール部と、回路基板を収納した回路基板室と風路とを連通させる空気孔を設けたものであり、気密シール部を設けることにより効率よく脱臭手段に通風させ、脱臭手段の通風量が増加することで一定時間内の臭気除去性能がさらに向上するという作用を有し、また脱臭装置運転中に回路基板に発生した熱を空気孔を通じて空気流と同時に排気することにより、回路基板の発熱を抑えて回路基板の寿命を延長させ、さらに脱臭装置本体の回路基板の温度を低く保つことができるのでさらに安全性が高まるという作用を有する。
【００５０】
また、請求項１８記載の局所脱臭装置の発明は、請求項１から１７のいずれか一項に記載の発明において、脱臭装置本体に着脱可能に設けられ前記脱臭装置本体の持ち運びを容易にする取手部を備え、前記取手部には小物入れを構成する容器が着脱可能に設けられるものであり、取手部の着脱と取り替えにより使用形態に細かく対応できるという作用を有し、取手部に小物入れを構成したときは、小物入れに入れる物により脱臭装置本体の脱臭用途以外の機能を追加、拡張することが容易にできる。
【００５１】
【発明の実施の形態】
以下、図面を参照しながら本発明の局所脱臭装置の実施の形態について説明する。
【００５２】
（実施の形態１）
図１は本発明の実施の形態１の局所脱臭装置における充電台に載せた状態の脱臭装置本体の内部構成を示す構成図、図２は同実施の形態の局所脱臭装置における脱臭装置本体の内部構成を示す構成図、図３は同実施の形態の局所脱臭装置における脱臭装置本体の脱臭手段の斜視図、図４は同実施の形態の局所脱臭装置における脱臭装置本体の制御系を示すブロック図、図５は同実施の形態の局所脱臭装置による硫化水素に対する脱臭性能を示す特性図、図６は同実施の形態の局所脱臭装置によるアンモニアに対する脱臭性能を示す特性図である。
【００５３】
図において、１は脱臭装置本体であり、前面に形成された空気吸入部２と背面と上面との角部を面取りした部分に形成された空気排出部３との間の空気の通路に、空気の通路の下流側に位置して空気吸入部２から空気排出部３に空気を流す風量可変型の電動送風機４と、電動送風機４よりも空気の通路の上流側に位置して空気吸入部２から吸い込まれた空気を脱臭する脱臭手段５とを備え、家庭用掃除機と同じような大きさ重さで上面に設けられたハンドル６を持って持ち運び可能で、充電手段７により充電可能に本体に内蔵された蓄電池８の電力を使って脱臭動作を行うように構成されている。
【００５４】
充電手段７は、脱臭装置本体１を正しく載せた時に導電端子９で脱臭装置本体１と接続され、電源コード１０を商用電源１１に接続している状態で脱臭装置本体１に電力を供給可能な充電台７からなり、脱臭装置本体１は、充電台７から供給される電力を使って蓄電池８の充電と脱臭動作を行うことができるように構成されている。
【００５５】
重量が重い蓄電池８は、脱臭装置本体１を充電台７から外して単独で脱臭動作させる姿勢（図２参照）での脱臭装置本体１内底部に、脱臭装置本体１の重心が下がるように配置している。
【００５６】
また、脱臭装置本体１の空気排出部３を空気吸入部２から離して設け、脱臭装置本体１を充電台７から外して空気吸入部２を臭気発生源に向けて単独で脱臭動作させる姿勢（図２参照）にした時、脱臭装置本体１の空気排出部３から排出される空気の方向が臭気発生源の方向に対して９０度より大きく１８０度より小さい角度をなし水平面より上向きになるように構成している。
【００５７】
脱臭手段５は、亜鉛の酸化物を酸化チタンに担持し表面に塩基の特性を持たせた光触媒微粒子と疎水性ゼオライトからなる吸着剤とを混合しバインダを介して通気性を有する多孔質基材に担持した第一の脱臭素子５ａと、マンガン、コバルト、銅の複合酸化物と疎水性ゼオライトからなる吸着剤とを混合しバインダを介して通気性を有する多孔質基材に担持した第二の脱臭素子５ｂと、無機塩とアルカリ土類金属化合物と疎水性ゼオライトからなる吸着剤とを混合しバインダを介して通気性を有する多孔質基材に担持した第三の脱臭素子５ｃと、第一の脱臭素子５ａに紫外線を照射する光源５ｄとからなる。なお、疎水性ゼオライトは、吸着性能を向上させ、光触媒に対しては、白色の材料であるため光を効率よく反射し光触媒の分解性能を高める。
【００５８】
そして、空気の流れ方向の上流側から順に、第一の脱臭素子５ａ、第二の脱臭素子５ｂ、第三の脱臭素子５ｃの順に配置している。また、光源５ｄは、第一の脱臭素子５ａの通風方向の上流側に設置し、さらに光源５ｄの上流側に光源５ｄの対向面が鏡面処理され、光源５ｄから第一の脱臭素子５ａの反対方向に照射された紫外線を第一の脱臭素子５ａ方向に反射する反射板５ｅを設置している。
【００５９】
また、脱臭装置本体１の空気吸入部２に近接した箇所に設けられ周囲の臭気ガス濃度に応じて出力信号が変わるガスセンサ１２と、ガスセンサ１２からの出力信号を受けてガスセンサ１２の周囲の臭気ガス濃度が高くなるほど電動送風機４の送風量が増すように電動送風機４の風量を調節する制御手段１３とを備えている。
【００６０】
また、空気吸入部２の内側で光源５ｄの反射板５ｅの上流には除塵フィルター１４を設けており、空気吸入部２の外側には蛇腹構造で吸入方向を変えられる吸気ダクト１５を設置している。なお、吸気ダクト１５の蛇腹構造は、曲げる（変形させる）のにある程度の力が必要なものであり、所定の向きに手で曲げた後に、手を吸気ダクト１５から離しても吸気ダクト１５が勝手に元に戻らないものとする。
【００６１】
１６は、脱臭装置本体１で脱臭動作を行う場合と脱臭動作を停止する場合に操作するスイッチであり、制御手段１３に接続されている。
【００６２】
以上のように構成された本実施の形態の局所脱臭装置について、以下その動作を説明する。
【００６３】
脱臭動作を行わない時は、脱臭装置本体１のスイッチ１６を「切」の状態にして、脱臭装置本体１を充電台７に正しく載せておく。脱臭装置本体１を充電台７に正しく載せると、導電端子９で脱臭装置本体１と充電台７は電気的に接続される。この状態で、脱臭装置本体１の蓄電池８の充電をする場合は、充電台７の電源コード１０を商用電源１１のコンセントに接続しておき、蓄電池８の充電が不要の場合は、充電台７の電源コード１０を商用電源１１のコンセントから外しておく。
【００６４】
脱臭装置本体１の蓄電池８の充電は、脱臭装置本体１を充電台７に正しく載せ、充電台７の電源コード１０を商用電源１１のコンセントに接続した状態で行われ、商用電源１１から、電源コード１０、充電台７内の交流−直流変換回路、導電端子９を通り、蓄電池８に電力が供給されることにより、蓄電池８が充電される。
【００６５】
通常の局所の脱臭を行う時は、脱臭装置本体１を充電台７から外し、臭気ガスの発生源の近くで、作業の邪魔にならず、安定した平らな所に、脱臭装置本体１を吸気ダクト１５の吸気口を臭気ガスの発生源に向けて置き、スイッチ１６を「入」に切り替える。
【００６６】
このスイッチ１６の「入」への切り替えにより、制御手段１３は、ガスセンサ１２が検知した臭気ガスの濃度に応じて電動送風機４と光源５ｄに電力を供給し、電動送風機４は空気吸入部２から空気排出部３に空気を流し、光源５ｄは第一の脱臭素子５ａに紫外線を照射する。
【００６７】
この時、制御手段１３は、ガスセンサ１２の周囲の臭気ガス濃度が高くなるほど電動送風機４の送風量が増すように電動送風機４の風量を調節し、ガスセンサ１２の周囲の臭気ガス濃度が高くなるほど光源５ｄから照射する紫外線の量を増やす。
【００６８】
本実施の形態では、ガスセンサ１２が検知した臭気ガスの濃度に応じて、光源５ｄから照射する紫外線の量を変えるようにしているが、臭気ガスの濃度に関係なく、光源５ｄから照射する紫外線の量を一定にしても構わない。
【００６９】
電動送風機４の送風動作により、臭気ガスの発生源（介護される高齢者の排泄物）から発生する臭気ガスは、吸気ダクト１５により空気吸入部２に導かれ、除塵フィルター１４、反射板５ｅ、光源５ｄ、第一の脱臭素子５ａ、第二の脱臭素子５ｂ、第三の脱臭素子５ｃ、電動送風機４を通過して、空気排出部３から排出される。
【００７０】
この時、除塵フィルター１４の通過時に、臭気ガスと一緒に吸い込まれた塵埃が除塵フィルター１４に捕捉され、第一の脱臭素子５ａの通過時に、酸性ガスである硫化水素は、第一の脱臭素子５ａ上の光触媒表面に担持されている塩基性の亜鉛酸化物に吸着され、また、塩基性ガスであるアンモニアは、第一の脱臭素子５ａの光触媒である酸化チタンの酸性の表面及び、同時に担持されている吸着剤（疎水性ゼオライト）に吸着される。
【００７１】
また、次の第二の脱臭素子５ｂの通過時に、第一の脱臭素子５ａに吸着されなかった硫化水素は、第二の脱臭素子５ｂ上のマンガン、コバルト、銅の複合酸化物に化学的に吸着されて、硫酸塩の状態で複合酸化物上に固定され、第一の脱臭素子５ａに吸着されなかったアンモニアは、第二の脱臭素子５ｂの吸着剤（疎水性ゼオライト）により除去（吸着）される。
【００７２】
また、次の第三の脱臭素子５ｃの通過時に、第二の脱臭素子５ｂに吸着されなかった硫化水素は、第三の脱臭素子５ｃのアルカリ土類金属と中和反応し吸着され、第二の脱臭素子５ｂに吸着されなかったアンモニアは、第三の脱臭素子５ｃの吸着剤（疎水性ゼオライト）により除去（吸着）され、また、第三の脱臭素子５ｃ上の酸性を呈する無機塩によりアンモニアが化学的中和される。
【００７３】
また、さらに光源５ｄにより第一の脱臭素子５ａに対して紫外線を照射することで、第一の脱臭素子５ａに担持されている光触媒の酸化分解力が発現し、空気中の硫化水素、アンモニアが接触した際に酸化分解すると共に、素子上に吸着されている硫化水素、アンモニアも酸化分解し、第一の脱臭素子５ａの臭気吸着性能を回復させ、常に高い除去性能を維持する。
【００７４】
本実施の形態では、図５に示すように、空気中の硫化水素を、従来の２．０倍のスピードで除去することができる。また、図６に示すように、空気中のアンモニアを、従来の３．７倍のスピードで除去することができる。
【００７５】
また、連続的に部屋の脱臭を行う場合は、脱臭装置本体１を充電台７に正しく載せ、充電台７の電源コード１０を商用電源１１のコンセントに接続して、スイッチ１６を「入」にする。
【００７６】
この場合は、商用電源１１の交流電力を充電台７内で所定の直流電力に変換したもので脱臭動作を行う。
【００７７】
以上のように本実施の形態では、蓄電池８の電力を使って脱臭装置本体１単独で脱臭動作を行うので、予め蓄電池８に必要量の電力を貯えておけば、商用電源１１のないところでも電源コード１０なしで（外部から電力供給を受けることなく）ある程度の時間は脱臭動作を行えるため、介護時のおむつ交換のようにベッド間、部屋間を移動しながら作業する際など、移動距離が長い場合でも電源コンセントを付け替える必要がなく迅速に脱臭動作を実行できる。
【００７８】
また、脱臭装置の設置位置の自由度も増すため、臭気源に対して効果的な位置に設置可能となり、介護時の臭気対策を容易にするだけでなく、臭気源の側で脱臭することで部屋全体への臭気拡散を防ぎ、有効な脱臭効果も得ることができる。また、局所脱臭装置（脱臭装置本体１）を持ち運び可能に構成したので、脱臭装置の存在感を低減する共に、ベッド間、部屋間の移動を手軽に行える。
【００７９】
また、本実施の形態では、脱臭装置本体１を充電台７に載せ、充電台７と外部電源（商用電源）１１とを電源コード１０で接続することにより、蓄電池８を充電でき、また、充電台７から脱臭装置本体１に供給される電力を使って脱臭動作を行うことができ、脱臭装置本体１の蓄電池８の充電が簡単であり、また、充電台７から脱臭装置本体１に供給される電力を使っての脱臭動作は、室内の長時間連続の脱臭運転に適しており、室内全体の常時脱臭も行うことができ、室内を常に臭気のない環境にすることができる。
【００８０】
また、本実施の形態は、脱臭手段５を、吸着剤と光触媒とからなり臭気成分の吸着と臭気成分の酸化分解除去を行う上流側の脱臭素子（第一の脱臭素子５ａ）と、上流側の脱臭素子（第一の脱臭素子５ａ）で吸着できなかった臭気成分と臭気成分が分解された際に発生する中間生成物とを吸着する下流側の脱臭素子（第二、第三の脱臭素子５ｂ，５ｃ）と、上流側の脱臭素子（第一の脱臭素子５ａ）に光触媒を活性化させる紫外線または光を照射する光源５ｄとで構成するものである。
【００８１】
本実施の形態では、脱臭手段５に流入する臭気成分は、まず、上流側の脱臭素子（第一の脱臭素子５ａ）を通る際に吸着剤に吸着され、上流側の脱臭素子（第一の脱臭素子５ａ）で吸着されなかった残りの臭気成分は下流側の脱臭素子（第二、第三の脱臭素子５ｂ，５ｃ）を通る際に吸着剤に吸着される。
【００８２】
また、光源５ｄから照射される紫外線または光により上流側の脱臭素子（第一の脱臭素子５ａ）の光触媒が活性化し、光触媒の周囲の臭気成分を分解し、上流側の脱臭素子（第一の脱臭素子５ａ）の吸着剤に吸着されていた臭気成分を分解して放出する。そして、臭気成分が分解された際に発生する中間生成物は、下流側の脱臭素子（第二、第三の脱臭素子５ｂ，５ｃ）を通る際に吸着剤に吸着される。
【００８３】
従って、脱臭効率が高く、従来の単一の脱臭手段に比べ、脱臭手段５の容量を小さくできる作用を有するため、脱臭装置本体１の小型化が図れ、外部電力無しで脱臭運転できる作用も組合わさってより携帯性が増し、移動時の利便性が向上すると共に、脱臭装置本体１が小型になることで、介護時に患者の近傍に設置し脱臭運転した際でも、脱臭装置本体１の存在感が少ないため、患者に対して必要以上に不快感を与えずに済む。
【００８４】
また、本実施の形態では、下流側の脱臭素子を、空気の流れ方向に並ぶ２つの第二の脱臭素子５ｂ、第三の脱臭素子５ｃで構成するものであり、吸着されずに脱臭手段５を通過する臭気成分の量を大きく減らすことができ、さらに脱臭効率が高くなる。
【００８５】
また、本実施の形態では、下流側の脱臭素子を、吸着剤と低温触媒とからなり臭気成分の物理的吸着と化学的吸着とを行う第二の脱臭素子５ｂと、臭気成分の物理的吸着と化学的吸着とを行う第二の脱臭素子５ｂの下流側に位置し吸着剤と中和剤とからなり臭気成分の吸着と臭気成分の中和を行う第三の脱臭素子５ｃとで構成するものであり、臭気成分の吸着と臭気成分の酸化分解除去を行う上流側の脱臭素子（第一の脱臭素子５ａ）により、吸着されなかった臭気成分と臭気成分が分解された際に発生する中間生成物は、臭気成分の物理的吸着と化学的吸着とを行う脱臭素子（第二の脱臭素子５ｂ）により大半が吸着され、残りは、臭気成分の吸着と臭気成分の中和を行う脱臭素子（第三の脱臭素子５ｃ）により吸着または中和される。
【００８６】
従って、機能の異なる複数の脱臭素子５ａ，５ｂ，５ｃを合理的に組み合わせて、吸着されずに脱臭手段５を通過する臭気成分の量をさらに大きく減らすことができ、さらに脱臭効率が高くなる。
【００８７】
また、本実施の形態において、臭気成分の吸着と臭気成分の酸化分解除去を行う上流側の脱臭素子（第一の脱臭素子５ａ）は、亜鉛の酸化物を酸化チタンに担持し表面に塩基の特性を持たせた光触媒微粒子と吸着剤とを混合しバインダを介して通気性を有する多孔質基材に担持したものであり、臭気成分の物理的吸着と化学的吸着とを行う脱臭素子（第二の脱臭素子５ｂ）は、マンガン、コバルト、銅の複合酸化物と吸着剤とを混合しバインダを介して通気性を有する多孔質基材に担持したものであり、臭気成分の吸着と臭気成分の中和を行う脱臭素子（第三の脱臭素子５ｃ）は、無機塩、アルカリ土類金属化合物の内の少なくとも一種類と吸着剤とを混合しバインダを介して通気性を有する多孔質基材に担持したものである。
【００８８】
本実施の形態では、代表的な２つの臭気成分の一つである酸性ガスである硫化水素は、脱臭手段５を通過する際に、第一の脱臭素子５ａ上の光触媒表面に担持されている塩基性の亜鉛酸化物に吸着され、さらに通過の過程で第一の脱臭素子５ａに吸着されなかった硫化水素は、次の第二の脱臭素子５ｂ上のマンガン、コバルト、銅の複合酸化物に化学的に吸着されて、硫酸塩の状態で複合酸化物上に固定し、さらに万が一、硫化水素が第二の脱臭素子５ｂにも除去されず通過した場合でも、硫化水素はアルカリ土類金属と中和反応し吸着されるという三段階の除去作用により、閾値が低く微量でも知覚される硫化水素を確実に除去できる。
【００８９】
一方、代表的な２つの臭気成分の残りの一つである塩基性ガスであるアンモニアは、脱臭手段５を通過する際に、第一の脱臭素子５ａの光触媒である酸化チタンの酸性の表面及び、同時に担持されている吸着剤に吸着され、さらに通過の過程で第一の脱臭素子５ａに吸着されなかったアンモニアは、第二の脱臭素子５ｂ及び第三の脱臭素子５ｃの吸着剤により順次除去され、さらに第三の脱臭素子５ｃ上の酸性を呈する無機塩はアンモニアを化学的中和する作用も発揮できるため、空気中に含まれるアンモニアを確実に除去できる。
【００９０】
また、さらに光源５ｄにより第一の脱臭素子５ａに対して紫外線を照射することで、第一の脱臭素子５ａに担持されている光触媒の酸化分解力が発現し、空気中の硫化水素、アンモニアが接触した際に酸化分解すると共に、第一の脱臭素子５ａ上に吸着されている硫化水素、アンモニアも酸化分解し、第一の脱臭素子５ａの臭気吸着性能を回復させ、常に高い除去性能を維持する。
【００９１】
従って、従来の単一材料の脱臭素子とは異なり、複数の脱臭材料および素子５ａ〜５ｃを組合せ、脱臭手段５に臭気が通過する時に、確実に所定の臭気を除去でき高い脱臭効率が得られるため、単一材料の脱臭手段に比べ、脱臭手段５の容量を小さくでき、脱臭装置本体１の小型化が図れ、外部電力無しで脱臭運転できることも組合わさってより携帯性が増し、移動時の利便性が向上すると共に、脱臭装置本体１が小型になることで、介護時に患者の近傍に設置し脱臭運転した際でも、脱臭装置の存在感が少ないため、患者に対して必要以上に不快感を与えずに済む。
【００９２】
なお、本実施の形態では、無機塩とアルカリ土類金属の両方を第三の脱臭素子５ｃに設けているが、第三の脱臭素子５ｃでの無機塩によるアンモニア除去の必要性が少なければ、第三の脱臭素子５ｃの無機塩を省略してもよく、逆に、第三の脱臭素子５ｃでのアルカリ土類金属による硫化水素の中和反応、吸着の必要性が少なければ、第三の脱臭素子５ｃのアルカリ土類金属を省略してもよい。
【００９３】
また、本実施の形態では、第一の脱臭素子５ａ及び第二の脱臭素子５ｂが臭気に対して吸着と共に酸化分解も行うのに対して、第三の脱臭素子５ｃは、臭気に対して吸着作用を及ぼすのみであることから、第一の脱臭素子５ａ及び第二の脱臭素子５ｂにおいて、万が一、臭気の分解時の中間生成物が生じ、空気流に乗って脱離した場合でも、空気流の最下流に設置されている第三の脱臭素子５ｃが、中間生成物を吸着補足するという作用を有し、これにより臭気除去に対する高性能と、中間生成物の排出抑制とを両立できる。
【００９４】
また、本実施の形態では、硫化水素やアンモニアを含んだ空気が吸入された場合に、第一の脱臭素子５ａの空気流の対向面に光源５ｄが設置されているため、空気流と対向する側の第一の脱臭素子５ａ上の光触媒を有効的に活性化させて、臭気に接触させ、臭気に対する除去性能が高まり、さらに光源５ｄには反射板５ｅも設置されているため、光源５ｄから照射される紫外線の殆どを第一の脱臭素子５ａに対して照射でき、光触媒の活性化レベルが増加し、臭気除去性能がさらに向上する。
【００９５】
また、本実施の形態では、第一の脱臭素子５ａ、第二の脱臭素子５ｂ、第三の脱臭素子５ｃに使用する吸着剤を、疎水性ゼオライトとしている。
【００９６】
疎水性ゼオライトは、シリカ／アルミナ比を１００／１以上としたものであり、疎水性が高くなることで吸着剤が吸湿することによる脱臭能力の低下が抑制でき、またガスの吸着を細孔径調整による分子ふるい作用により所定の分子量のガスを選択的にトラップでき、電動送風機４により吸入された空気中の硫化水素、アンモニアを水分の影響を受けることなく選択的に吸着でき、さらに疎水性ゼオライトは白色系の吸着剤であるため、第一の脱臭素子５ａにおいては、光源５ｄより照射された紫外線を、疎水性ゼオライトに吸収されることなく、効率よく光触媒に照射する作用も有するため、臭気に対する酸化分解力を最大限に高めることができる。
【００９７】
また、本実施の形態では、構成部品の中でも重量物となる蓄電池８を脱臭装置本体１の中でもっとも低い位置に設置して脱臭装置本体１の重心を下げており、おむつ交換などの介護作業時に脱臭装置（脱臭装置本体１）を患者のおむつ付近に近接して設置する際に接地面が不安定なベッドの上に置いた場合でも、脱臭装置（脱臭装置本体１）は重心が低く安定して設置できるため、脱臭装置本体１が転倒し難く使用時の安全性が高まる。
【００９８】
なお、脱臭装置本体１の底面は、広い面積の平面とするか、前後左右の間隔を大きくとった脚部を有するものとすることが、安定性向上のために好ましい。
【００９９】
また、本実施の形態では、脱臭装置本体１を充電台７から外して空気吸入部２（吸気ダクト１５の吸気口）を臭気発生源に向けて単独で脱臭動作させた時に、空気吸入部２から離れた空気排出部３から脱臭処理した空気が排出され、空気排出部３から排出される空気の方向が臭気発生源の方向に対して９０度より大きく１８０度より小さい角度をなし水平面より上向きになるため、介護作業時に患者の寝具の上のように埃が多い場所に設置した場合でも、排出される空気は寝具に当たらないため、埃が空中へ舞い難く、脱臭運転に由来した空気質の悪化を抑制できる。
【０１００】
また、本実施の形態では、脱臭運転時にガスセンサ１２は、脱臭装置本体１の空気吸入部２周辺の臭気ガス濃度を検知して制御手段１３へ臭気ガス濃度の情報を送り、制御手段１３は、臭気ガス濃度に応じて電動送風機４の吸入空気量を最適に調節する（臭気ガス濃度が低い時に電動送風機４の吸入空気量を減らして脱臭する空気の量を減らし電力消費量を減らし、臭気ガス濃度が高い時に電動送風機４の吸入空気量を増やして脱臭する空気の量を増やす）ため、電動送風機４の運転効率が高まり、蓄電池８の電気が効率よく消費されるため、脱臭装置本体１の蓄電池８による運転時間を長くすることができる。
【０１０１】
なお、電動送風機４の風量調節は、強、弱、停止のように停止を含み複数段階に切り替えるものでも、停止せずに連続的に回転数を変えるものでも構わない。
【０１０２】
なお、臭気ガス発生源に合わせて複数種類の吸気ダクト１５を用意し、状況に応じて最適な吸気ダクト１５を取り付けるようにしても構わない。また、ガスセンサ１２は、空気吸入部２の内側に配置しても構わない。
【０１０３】
また、脱臭装置本体１を充電台７に載せた状態で局所脱臭する機会が多い場合は、脱臭装置本体１を充電台７に載せたときの空気吸入部２（吸気ダクト１５）の高さの変化が大きくならないように、また、安定性が悪くならないように、充電台７における脱臭装置本体１の台部の高さを低くすることが好ましい。
【０１０４】
また、脱臭装置本体１を充電台７に載せて部屋全体を脱臭する場合では、所定時間経過後に脱臭動作を停止させるタイマ手段を設けても構わない。
【０１０５】
また、本実施の形態では、脱臭装置本体１を持ち運びするためのハンドル６を設けているが、ハンドル６の代わりに肩掛けベルトを設けてもよい。
【０１０６】
また、脱臭装置本体１を充電台７に載せた状態で、脱臭装置本体１と充電台７の両方を一度に運べるように、脱臭装置本体１を充電台７に固定する固定手段を設けても構わない。
【０１０７】
また、現時点の蓄電池８で、あとどれくらいの時間、脱臭運転ができるか、また、蓄電池８の充電完了まで、あとどれくらいの時間が掛かるかが分かるような表示手段、または、脱臭装置本体１を充電台７に載せている状態で、充電中か充電を完了しているかがわかる表示手段を設けても構わない。
【０１０８】
また、脱臭装置本体１のスイッチ１６を「切」にした時に、まず、電動送風機４を停止させ、電動送風機４の停止から所定時間経過後に光源５ｄへの電源供給を停止させるようにして、第一の脱臭素子５ａの臭気吸着性能の充分な回復を図るようにしても構わない。
【０１０９】
（実施の形態２）
図７は、本発明の実施の形態２の局所脱臭装置における脱臭装置本体の内部構成を示す構成図、図８は同実施の形態の局所脱臭装置における電動送風機の斜視図、図９は同実施の形態の局所脱臭装置における脱臭手段近傍の一部切り欠き斜視図である。
【０１１０】
図７、図８、図９において、２０は脱臭装置本体であり、前面に形成された空気吸入部２１と上面に形成された空気排出部２２との間に空気を流す風量可変型の電動送風機２３と、電動送風機２３よりも空気流の上流側に位置して空気吸入部２１から吸込まれた空気を脱臭する脱臭手段２４とを備え、電力供給手段（蓄電池）２５の電力を使って脱臭動作を行うように構成されている。
【０１１１】
電動送風機２３は、仕切り板２６に固着されたモーター２７によりファン２８を回転させ、仕切り板２６を挟んでモーター２７と対向する位置に固着されたファンケース２９のファンケース吸入口２９ａから、空気吸入部２１より吸込まれた空気を吸入し、ファンケース排出口２９ｂを通じて空気排出部２２より排気するように構成されている。
【０１１２】
なお、仕切り板２６は、ファン２８とモーター２７とを仕切るもので、ファンケース２９と共にファン２８を覆い風路を構成する。また、仕切り板２６は熱伝導性の良好な材料、例えば金属で構成され、仕切り板２６はモーター２７の外殻と熱伝達可能に接触している。
【０１１３】
脱臭手段２４は、表面に光触媒を担持した通気性を有する脱臭フィルター２４ａに対して空気流の上流側に、照射面が通風方向と平行になるように平面型ランプ２４ｂを設置し、さらに平面型ランプ２４ｂの照射面の対向面に表面を鏡面処理した反射板２４ｃを設置して平面型ランプ２４ａの紫外線を均一に脱臭フィルター２４ａに照射するよう構成されている。
【０１１４】
平面型ランプ２４ａからなる光源は、表面に光触媒を担持し臭気成分の吸着と臭気成分の酸化分解除去を行う脱臭フィルター２４ａの通風方向の上流側に位置し、長手方向が通風方向に略垂直（略水平）で、通風方向に垂直な面の幅が通風方向に平行な面の幅より小さく、通風方向に平行な面から光を照射するものである。また、光源から照射された光を脱臭フィルター２４ａに向けて反射する反射板は、風路の縁部近傍に設置されている。
【０１１５】
また、脱臭フィルター２４ａは脱臭装置本体２０内部に設けた脱臭手段取付け空間３０に配置され、脱臭装置本体２０は他に少なくとも一つ以上の脱臭手段取付け空間３１を有する。
【０１１６】
脱臭手段としての脱臭フィルター２４ａは、取付け取外し可能に脱臭手段取付け空間３０，３１に取付けられ、脱臭手段取付け空間３０，３１には、脱臭フィルター２４ａまたは外形寸法が脱臭フィルター２４ａと略同一で脱臭特性が異なる別の脱臭フィルターを１つずつ、合計２個取付け可能である。
【０１１７】
また、電動送風機２３と脱臭手段２４との間には指が入らない大きさの孔を多数有する格子状仕切り板３２を配置し、脱臭フィルター２４ａの交換時に不注意に電動送風機２３に指が触れないように構成されている。
【０１１８】
格子状仕切り板３２は、脱臭手段２４の脱臭フィルター２４ａの取付け取外し時に指が他の機能部品である電動送風機２３に触れるのを防止する指入れ防止手段である。なお、指入れ防止手段としての格子状仕切り板３２を、脱臭フィルター２４ａの交換時に不注意に平面型ランプ２４ａに指が触れないように配置してもよい。
【０１１９】
さらに脱臭フィルター２４ａの上流側において脱臭装置本体２０と空気吸入部パネル３３との間に気密シール部３４を設け、脱臭フィルター２４ａに集中して通風させるよう構成されている。また、気密シール部３４より下流にある回路基板室３５の一部に空気孔３８を設けて、脱臭装置本体２０運転時に回路基板室３５内の回路基板３６より発生する熱をファンケース吸入口２９ａより吸入できるように構成されている。
【０１２０】
なお、気密シール部３４は、脱臭装置本体２０の外殻と、脱臭手段２４を通過する風路を構成する空気吸入部パネル３３との間の隙間を埋めるものであり、空気孔３８は、回路基板３６を収納した回路基板室３５と風路（脱臭手段２４と電動送風機２３のファンケース吸入口２９ａとの間の風路）とを連通させるものである。
【０１２１】
スイッチ３７は、脱臭装置本体２０が脱臭動作を行う場合と　　脱臭動作を停止する場合に操作するものであり、回路基板３６に接続されている。
【０１２２】
以上のように構成された本実施の形態の局所脱臭装置について、以下その動作を説明する。
【０１２３】
脱臭動作を行わない場合は脱臭装置本体２０のスイッチ３７を「切」の状態にする。脱臭動作を行う場合にはスイッチ３７を「入」の状態にすることにより、回路基板３６はモーター２７と平面型ランプ２４ｂに電力を供給する。
【０１２４】
電力の供給により、モーター２７はファン２８を回転させ、平面型ランプ２４ｂは紫外線を照射する。
【０１２５】
この時、モーター２７は熱を発するが、仕切り板２６に良熱伝導性の材料を用いてモーター２７の外殻のいずれかと接触させることで、脱臭運転時に発生するモーター２７の熱は仕切り板２６に伝わり、仕切り板２６はファン２８の回転による空気流で冷却される。また、仕切り板２６に伝わった熱はファンケース２９側に伝熱し、ファンケース２９もファン２８の回転による空気流で冷却される。したがって、モーターの発熱を仕切り板を介して空気冷却できるため、モーター２７の運転寿命を向上させ、さらに脱臭装置本体２０の安全性も高まる。
【０１２６】
また、仕切り板２６の材料を金属とすると、金属は一般的に熱伝導性、剛性、耐熱性に優れているため、モーター２７動作時の放熱を効率よく行えるためモーターの寿命をさらに延長でき、さらに仕切り板の剛性、耐熱性が高まるため、モーター２７やファンケース２９の固着信頼性、モーター２７の熱による変形の信頼性を向上させることができる。
【０１２７】
本実施の形態では、仕切り板２６を板１枚の形状としたが、折り曲げたり、複数の板を組み合わせたりすることで、モーター２７の冷却量は減少するが、材料の使用量を減らしてコストダウンしたり、構造強度を向上させたり、脱臭装置本体２０への固着仕様の選択性を向上させることができる。
【０１２８】
ファン２８の回転により空気流が発生し、空気吸入部２１より脱臭装置本体２０外部の臭気成分を含んだ空気を吸入し、吸入された空気は平面型ランプ２４ｂの周囲を通って脱臭手段取付け空間３０に配置された脱臭フィルター２４ａ内を通過して臭気成分を除去される。
【０１２９】
この時、平面型ランプ２４ｂを光源として、平面型ランプ２４の照射面を通風方向と平行に設置することで、平面型ランプ２４による通風抵抗を小さくでき、空気の一定時間当たりの通風量の低下を抑えることができ、結果として一定時間当りの臭気除去性能の低下を抑制することができる。
【０１３０】
なお、平面型ランプ２４を通風抵抗が小さくなるように設置すると、脱臭フィルター２４ａのある方向に対して垂直な方向への光の照射量が増えるが、平面型ランプ２４ｂの照射面の対向面に、脱臭フィルター２４ａのある方向に対して垂直な方向に照射された光（紫外線）を脱臭フィルター２４ａに向けて反射させる反射板２４ｃを設置することで、平面型ランプ２４ｂから照射された紫外線を反射板２４ｃで反射して脱臭フィルター２４ａの空気流と直行する空気流の上流側の面にほぼ均一に照射することができ、光（紫外線）の照射の無駄をなくすことができ、脱臭フィルター２４ａに担持した光触媒の活性化レベルが増加するため臭気除去性能をさらに向上させることができる。また、反射板２４ｃを風路の上下の縁部近傍に設置することにより反射板２４ｃによる通風量の減少を抑えることができる。
【０１３１】
脱臭フィルター２４ａを通過した臭気除去済の空気は脱臭手段取付け空間３１、格子状仕切り板３２を通って電動送風機２３のファンケース吸入口２９ａに吸入され、ファン２８の回転に順じてファンケース排出口２９ｂを通じて空気排出部２２より排気される。
【０１３２】
本実施の形態では、脱臭手段取付け空間３１を空き空間としたが、脱臭フィルター２４ａを配置しても構わないし、脱臭フィルター２４ａと脱臭特性の異なる別の脱臭手段（脱臭フィルター）を配置しても構わない。脱臭手段取付け空間３１に脱臭フィルター２４ａを配置した場合には特定臭気に対して更なる除去性能を向上させることができ、異なる脱臭特性の脱臭手段（脱臭フィルター）を配置した場合には除去対象臭気を拡大することができ、結果として脱臭装置本体２０の使用範囲を拡大することができる。
【０１３３】
本実施の形態では、脱臭手段２４の脱臭フィルター２４ａを取付け取外しできるため脱臭フィルター２４ａの交換が容易となることで利便性が高まり、さらに脱臭手段取付け空間３０，３１に脱臭特性の異なる複数の脱臭フィルターを組込んだ場合には除去対象臭気を拡大することが可能であり、同じ脱臭フィルターを複数組込んだ場合には特定臭気に対する更なる脱臭性能を向上させることが可能である。
【０１３４】
また、本実施の形態では、脱臭手段取付け空間３１を脱臭手段取付け空間３０の空気流の下流側近傍に設けたが、空気吸入部２１から空気排出部２２までの空気流の流路上であれば脱臭手段取付け空間３０と脱臭手段取付け空間３１との間に例えば電動送風機２３を挟んでもよい。脱臭手段取付け空間３１に配置する脱臭手段の交換頻度が高かったり、構造仕様的に近傍に配置することが困難な場合は使い勝手のよい位置に配置するほうが望ましい。
【０１３５】
また、本実施の形態では、指が入らない大きさの孔を多数有する格子状仕切り板（指入れ防止手段）３２を電動送風機２３と脱臭手段２４との間に配置することにより、脱臭装置本体２０の運転を継続したまま脱臭フィルター２４ａの交換や脱臭手段取付け空間３１に脱臭フィルターの追加や交換をする場合に、不注意に電動送風機２３に指が触れないため、回転中のファン２８に触れて怪我したり、熱くなったモーター２７に触れて火傷したりすることを防ぐことができ、さらに脱臭装置本体２０の安全性を高めることができる。
【０１３６】
また、本実施の形態では、脱臭装置本体の外殻と、脱臭手段を通過する風路を構成する空気吸入部パネル３３との間の隙間を埋める気密シール部３４を設けたので、効率よく脱臭手段２４に通風させ、脱臭手段２４の通風量が増加し、結果として一定時間当りの臭気除去性能をさらに向上させることができる。また、気密シール部３４より空気流の下流にある回路基板室３５の一部に回路基板室３５と風路とを連通させる空気孔３８を設けたので、脱臭装置本体２０運転時に脱臭フィルター２４ａを通過した空気流と同時に回路基板室３５内の回路基板３６より発生する熱を空気孔３８を通じてファンケース吸入口２９ａより吸入して空気排出部２２より排気することにより、回路基板の寿命を向上させ、さらに脱臭装置本体２０の安全性を高めることができる。
【０１３７】
（実施の形態３）
図１０は、本発明の実施の形態３の局所脱臭装置における脱臭装置本体の外観斜視図である。
【０１３８】
本実施の形態の局所脱臭装置は、脱臭装置本体３９の底面と側面を覆うように脱臭装置本体３９に着脱可能に設けられ上部に手を入れる孔を有し脱臭装置本体３９の持ち運びを容易にする取手部４０を備え、取手部４０にはおむつケースや写真入れとなる小物入れを構成する容器４１が着脱可能に設けられるものである。なお、脱臭装置本体３９の内部構成は、実施の形態１または２と同一構成である。
【０１３９】
以上のように構成された本実施の形態の局所脱臭装置について、以下その動作を説明する。
【０１４０】
脱臭装置本体３９の移動時に取手部４０を持つことにより移動時の利便性が向上し、さらに取手部４０を着脱可能とすることにより、使用状況に応じて取手部４０を外して脱臭装置本体３９を小型化したり、意匠性向上のために使用者の好みに応じて取手部４０の交換が可能となり、介護時に患者の近傍に設置し脱臭運転した際でも、患者に対して必要以上に不快感を与えずに済む。
【０１４１】
容器４１は、脱臭装置本体３９に脱臭用途以外の付加機能を持たせるものであり、着脱可能とすることで、おむつケースとした場合には介護時に脱臭装置とおむつを同時に持ち運びができるため利便性が向上し、写真入れとした場合には写真を入れておけば、介護時に写真を患者に見せることで患者の不快感を緩和できるという機能拡張が容易にできる。
【０１４２】
なお、本実施の形態では容器４１を取手部４０と着脱可能としたが、取手部４０と一体化、あるいは固着されていてもよく、その場合には部品点数削減によりコストダウンを図ることができる。
【０１４３】
【発明の効果】
以上説明したように、請求項１記載の発明では、蓄電池の電力を使って脱臭動作を行うので、予め蓄電池に必要量の電力を貯えておけば、商用電源のないところでも電源コードなしで（外部から電力供給を受けることなく）ある程度の時間は脱臭動作を行えるため、介護時のおむつ交換のようにベッド間、部屋間を移動しながら作業する際など、移動距離が長い場合でも電源コンセントを付け替える必要がなく迅速に脱臭動作を実行できるという効果がある。
【０１４４】
また、脱臭装置の設置位置の自由度も増すため、臭気源に対して効果的な位置に設置可能となり、介護時の臭気対策を容易にするだけでなく、臭気源の側で脱臭することで部屋全体への臭気拡散を防ぎ、有効な脱臭効果も得ることができる。また、局所脱臭装置を持ち運び可能に構成したので、脱臭装置の存在感を低減する共に、ベッド間、部屋間の移動を手軽に行えるという効果がある。
【０１４５】
また、請求項２記載の発明では、脱臭装置本体を充電台に載せ、充電台と外部電源（商用電源）とを接続することにより、蓄電池を充電でき、また、充電台から脱臭装置本体に供給される電力を使って脱臭動作を行うことができ、脱臭装置本体の蓄電池の充電が簡単である。
【０１４６】
また、充電台から脱臭装置本体に供給される電力を使っての脱臭動作は、室内の長時間連続の脱臭運転に適しており、室内全体の常時脱臭も行うことができ、室内を常に臭気のない環境にすることができる。
【０１４７】
また、請求項３記載の発明では、脱臭手段に流入する臭気成分は、まず、上流側の脱臭素子を通る際に吸着剤に吸着され、上流側の脱臭素子で吸着されなかった残りの臭気成分は下流側の脱臭素子を通る際に吸着剤に吸着される。
【０１４８】
また、光源から照射される紫外線または光により上流側の脱臭素子の光触媒が活性化し、光触媒の周囲の臭気成分を分解し、上流側の脱臭素子の吸着剤に吸着されていた臭気成分を分解して放出する。そして、臭気成分が分解された際に発生する中間生成物は、下流側の脱臭素子を通る際に吸着剤に吸着される。
【０１４９】
従って、脱臭効率が高く、従来の単一の脱臭手段に比べ、脱臭手段の容量を小さくできる作用を有するため、脱臭装置本体の小型化が図れ、外部電力無しで脱臭運転できる作用も組合わさってより携帯性が増し、移動時の利便性が向上すると共に、装置本体が小型になることで、介護時に患者の近傍に設置し脱臭運転した際でも、脱臭装置の存在感が少ないため、患者に対して必要以上に不快感を与えずに済むという作用を有する。
【０１５０】
また、請求項４記載の発明では、下流側の脱臭素子を、空気の流れ方向に並ぶ少なくとも２つの脱臭素子で構成するので、吸着されずに脱臭手段を通過する臭気成分の量を大きく減らすことができ、さらに脱臭効率が高くなる。
【０１５１】
また、請求項５記載の発明では、臭気成分の吸着と臭気成分の酸化分解除去を行う上流側の脱臭素子により、吸着されなかった臭気成分と臭気成分が分解された際に発生する中間生成物は、臭気成分の物理的吸着と化学的吸着とを行う脱臭素子により大半が吸着され、残りは、臭気成分の吸着と臭気成分の中和を行う脱臭素子により吸着または中和される。
【０１５２】
従って、機能の異なる複数の脱臭素子を合理的に組み合わせて、吸着されずに脱臭手段を通過する臭気成分の量をさらに大きく減らすことができ、さらに脱臭効率が高くなる。
【０１５３】
また、請求項６記載の発明では、酸性ガスである硫化水素は、脱臭手段を通過する際に、上流から１番目の第一の脱臭素子上の光触媒表面に担持されている塩基性の亜鉛酸化物に吸着され、さらに通過の過程で第一の脱臭素子に吸着されなかった硫化水素は、次の上流から２番目の第二の脱臭素子上のマンガン、コバルト、銅の複合酸化物に化学的に吸着されて、硫酸塩の状態で複合酸化物上に固定し、さらに万が一、硫化水素が第二種脱臭素子にも除去されず通過した場合でも、上流から３番目の第三の脱臭素子上にアルカリ性を呈するアルカリ土類金属が担持されている場合には、硫化水素はアルカリ土類金属と中和反応し吸着されるという三段階の除去作用により、閾値が低く微量でも知覚される硫化水素を確実に除去できる。
【０１５４】
一方、塩基性ガスであるアンモニアは、脱臭手段を通過する際に、第一の脱臭素子の光触媒である酸化チタンの酸性の表面及び、同時に担持されている吸着剤に吸着され、さらに通過の過程で第一の脱臭素子に吸着されなかったアンモニアは、第二の脱臭素子及び第三の脱臭素子の吸着剤により順次除去され、さらに第三の脱臭素子上に酸性を呈する無機塩が担持されている場合には、無機塩はアンモニアを化学的中和する作用も発揮できるため、空気中に含まれるアンモニアを確実に除去できる。
【０１５５】
また、さらに光源により第一の脱臭素子に対して紫外線を照射することで、第一の脱臭素子に担持されている光触媒の酸化分解力が発現し、空気中の硫化水素、アンモニアが接触した際に酸化分解すると共に、素子上に吸着されている硫化水素、アンモニアも酸化分解し、第一の脱臭素子の臭気吸着性能を回復させ、常に高い除去性能を維持する。
【０１５６】
従って、従来の単一材料の脱臭素子とは異なり、複数の脱臭材料および素子を組合せ、脱臭手段に臭気が通過する時に、確実に所定の臭気を除去でき高い脱臭効率が得られるため、単一材料の脱臭手段に比べ、脱臭手段の容量を小さくできる作用を有するため、脱臭装置本体の小型化が図れ、外部電力無しで脱臭運転できる作用も組合わさってより携帯性が増し、移動時の利便性が向上すると共に、装置本体が小型になることで、介護時に患者の近傍に設置し脱臭運転した際でも、脱臭装置の存在感が少ないため、患者に対して必要以上に不快感を与えずに済むという作用を有する。
【０１５７】
また、請求項７記載の発明では、硫化水素やアンモニアを含んだ空気が吸入された場合に、第一の脱臭素子の空気流の対向面に光源が設置されているため、空気流と対向する側の第一の脱臭素子上の光触媒を有効的に活性化させて、臭気に接触させ、臭気に対する除去性能が高まり、さらに光源には反射板も設置されているため、光源から照射される紫外線の殆どを第一の脱臭素子に対して照射でき、光触媒の活性化レベルが増加して、臭気除去性能がさらに向上する。
【０１５８】
また、請求項８記載の発明では、吸着剤を、シリカ／アルミナ比を１００／１以上とした疎水性ゼオライトとしたので、疎水性が高くなることで吸着剤が吸湿することによる脱臭能力の低下が抑制でき、またガスの吸着を細孔径調整による分子ふるい作用により所定の分子量のガスを選択的にトラップでき、電動送風機により吸入された空気中の硫化水素、アンモニアを水分の影響を受けることなく選択的に吸着でき、さらに疎水性ゼオライトは白色系の吸着剤であるため、第一の脱臭素子においては、光源より照射された紫外線を、疎水性ゼオライトに吸収されることなく、効率よく光触媒に照射でき、臭気に対する酸化分解力を最大限に高めることができる。
【０１５９】
また、請求項９記載の発明では、構成部品の中でも重量物となる蓄電池を脱臭装置本体の中でもっとも低い位置に設置して装置本体の重心を下げたので、おむつ交換などの介護作業時に脱臭装置を患者のおむつ付近に近接して設置する際に接地面が不安定なベッドの上に置いた場合でも、脱臭装置は重心が低く安定して設置できるため、脱臭装置本体が転倒し難く使用時の安全性が高まる。
【０１６０】
また、請求項１０記載の発明では、脱臭装置本体を充電台から外して空気吸入部を臭気発生源に向けて単独で脱臭動作させた時に、空気吸入部から離れた空気排出部から脱臭処理した空気が排出され、空気排出部から排出される空気の方向が臭気発生源の方向に対して９０度より大きく１８０度より小さい角度をなし水平面より上向きになるため、介護作業時に患者の寝具の上のように埃が多い場所に設置した場合でも、排出される空気は寝具に当たらないため、埃が空中へ舞い難く、脱臭運転に由来した空気質の悪化を抑制できる。
【０１６１】
また、請求項１１記載の発明では、脱臭運転時にガスセンサは、脱臭装置本体周辺の臭気ガス濃度を検知して制御手段へ臭気ガス濃度の情報を送り、制御手段は、臭気ガス濃度に応じて電動送風機の吸入空気量を最適に調節する（臭気ガス濃度が低い時に電動送風機の吸入空気量を減らして脱臭する空気の量を減らし電力消費量を減らし、臭気ガス濃度が高い時に電動送風機の吸入空気量を増やして脱臭する空気の量を増やす）ため、電動送風機の運転効率が高まり、蓄電池の電気が効率よく消費されるため、脱臭装置の蓄電池による運転時間を長くすることができる。
【０１６２】
また、請求項１２記載の発明では、ファンケースと共にファンを覆い風路を構成する仕切り板を熱伝導性の良好な材料で構成すると共に、前記仕切り板をモーターの外殻と熱伝達可能に接触させて、モーターの発熱を仕切り板を介して空気冷却するので、モーターの運転寿命が延長でき、さらに脱臭装置本体の安全性を高めることができる。
【０１６３】
また、請求項１３記載の発明では、仕切り板を金属製にしたことにより、モーター動作時の放熱を効率よく行えるためモーターの寿命をさらに延長でき、さらに仕切り板の剛性、耐熱性が高まるため、モーターの固着信頼性、モーターの熱による変形の信頼性を向上させることができる。
【０１６４】
また、請求項１４記載の発明では、脱臭手段を取付け取外しできるため脱臭手段の交換が容易となることで利便性が高まり、さらに脱臭手段取付け空間に脱臭特性の異なる複数の脱臭手段を組込んだ場合には除去対象臭気を拡大することが可能であり、同じ種類の脱臭手段を複数組込んだ場合には特定臭気に対する更なる脱臭性能を向上させることが可能となり、使用満足度の向上を図ることが容易にできる。
【０１６５】
また、請求項１５記載の発明では、脱臭手段の取付け取外し時に指が他の機能部品、例えば電動送風機に触れるのを防止する指入れ防止手段を設けたので、脱臭装置本体の運転を継続したまま脱臭手段の交換を行おうとした時に、不注意に電動送風機に指が触れないため、回転中のファンに触れて怪我したり、熱くなったモーターに触れて火傷したりするのを防ぐことができ、脱臭装置本体の安全性をさらに高めることができる。
【０１６６】
また、請求項１６記載の発明では、光源として平面型ランプを通風抵抗が小さくなるように設置したので、光源の設置による通風量の減少を抑えることができ、臭気除去性能の低下を抑制できる。また、反射板により、脱臭素子のある方向に対して垂直な方向に照射された光を脱臭素子に向けて反射させるので光の照射の無駄をなくすことができ、脱臭手段に担持した光触媒の活性化レベルが増加するため、さらに臭気除去性能を向上させることができる。また、反射板を風路の縁部近傍に設置することにより、反射板による通風量の減少を抑えることができる。
【０１６７】
また、請求項１７記載の発明では、脱臭装置本体の外殻と、脱臭手段を通過する風路を構成する空気吸入部パネルとの間の隙間を埋める気密シール部を設けたので、効率よく脱臭手段に通風させ、脱臭手段の通風量が増加することで臭気除去性能をさらに向上させることができる。また、回路基板を収納した回路基板室と風路とを連通させる空気孔を設けて、脱臭装置運転中に回路基板に発生した熱を空気孔を通じて空気流と同時に排気することにより、回路基板の発熱を抑えて回路基板の寿命を延長させ、さらに脱臭装置本体の回路基板の温度を低く保つことができるので、さらに安全性を高めることができる。
【０１６８】
また、請求項１８記載の発明では、脱臭装置本体に着脱可能に設けられ前記脱臭装置本体の持ち運びを容易にする取手部を備えたので、使用状況に応じて取手部を外して脱臭装置本体を小型化したり、意匠性向上のために使用者の好みに応じて取手部の交換が可能となり、介護時に患者の近傍に設置し脱臭運転した際でも、患者に対して必要以上に不快感を与えずに済むという効果がある。また、前記取手部には小物入れを構成する容器を着脱可能に設けたので、取手部に容器を設けた時は、使用者の使用形態に細かく対応でき、小物入れに入れる物により脱臭装置本体の脱臭用途以外の機能を追加、拡張することが容易にできる。
【図面の簡単な説明】
【図１】本発明の実施の形態１の局所脱臭装置における充電台に載せた状態の脱臭装置本体の内部構成を示す構成図
【図２】同実施の形態の局所脱臭装置における脱臭装置本体の内部構成を示す構成図
【図３】同実施の形態の局所脱臭装置における脱臭装置本体の脱臭手段の斜視図
【図４】同実施の形態の局所脱臭装置における脱臭装置本体の制御系を示すブロック図
【図５】同実施の形態の局所脱臭装置における硫化水素に対する脱臭性能を示す特性図
【図６】同実施の形態の局所脱臭装置におけるアンモニアに対する脱臭性能を示す特性図
【図７】本発明の実施の形態２の局所脱臭装置における脱臭装置本体の内部構成を示す構成図
【図８】同実施の形態の局所脱臭装置における電動送風機の斜視図
【図９】同実施の形態の局所脱臭装置における脱臭手段近傍の一部切り欠き斜視図
【図１０】本発明の実施の形態３の局所脱臭装置における脱臭装置本体の外観斜視図
【符号の説明】
１，２０，３９　脱臭装置本体
２　　空気吸入部
３　　空気排出部
４，２３　電動送風機
５　　脱臭手段
５ａ　第一の脱臭素子
５ｂ　第二の脱臭素子
５ｃ　第三の脱臭素子
５ｄ　光源
５ｅ　反射鏡
７　　充電台（充電手段）
８　　蓄電池
１２　ガスセンサ
１３　制御手段
２４ａ　脱臭フィルター
２４ｂ　平面型ランプ（光源）
２４ｃ　反射板
２６　仕切り板
２７　モーター
２８　ファン
２９　ファンケース
３０，３１　脱臭手段取付け空間
３２　格子状仕切り板
３３　空気吸入部パネル
３４　気密シール部
３５　回路基板室
３６　回路基板
３８　空気孔
４０　取手部
４１　容器
【図１】
2004000413.tif 000003
【図２】
2004000413.tif 000004
【図３】
2004000413.tif 000005
【図４】
2004000413.tif 000006
【図５】
2004000413.tif 000007
【図６】
2004000413.tif 000008
【図７】
2004000413.tif 000009
【図８】
2004000413.tif 000010
【図９】
2004000413.tif 000011
【図１０】
2004000413.tif 000012